(57)【特許請求の範囲】
【請求項１】
本体部と、
入力操作を受け付ける第１入力部を有し、前記第１入力部に対する入力操作に応じた第１操作信号を出力する第１操作部と、を備え、
前記第１操作部は、前記本体部の一端側に設けられ、
前記本体部は、
前記本体部の動作を制御する制御基板と、
前記制御基板とは別体として構成され、前記制御基板に対して前記第１操作部とは反対側に位置し、前記第１操作信号を処理して前記制御基板に出力する処理基板と、を有し、
前記制御基板は、
前記第１操作部と接続される第１接続部と、
前記処理基板と接続される第２接続部と、
前記制御基板に形成され、前記第１接続部と前記第２接続部とを接続し、前記第１接続部を介して前記第１操作部から入力される前記第１操作信号を、前記第２接続部を介して前記処理基板に伝送する信号伝送ラインと、を有することを特徴とする操作装置。
【請求項２】
請求項１に記載の操作装置において、
前記制御基板は、前記信号伝送ラインを挟むグランドラインを有することを特徴とする操作装置。
【請求項３】
請求項２に記載の操作装置において、
前記制御基板は、多層のプリント基板であり、
前記グランドラインは、前記制御基板において前記信号伝送ラインと同じ層に位置することを特徴とする操作装置。
【請求項４】
請求項１から請求項３のいずれか一項に記載の操作装置において、
前記制御基板は、多層のプリント基板であり、
前記信号伝送ラインは、前記プリント基板の内層に形成されていることを特徴とする操作装置。
【請求項５】
請求項１から請求項４のいずれか一項に記載の操作装置において、
前記制御基板は、前記制御基板の表層に取り付けられ、前記信号伝送ラインを覆うシールドケースを有することを特徴とする操作装置。
【請求項６】
請求項１から請求項５のいずれか一項に記載の操作装置において、
前記制御基板は、
外部と無線により通信可能な制御基板側通信回路と、
前記制御基板側通信回路を覆って電磁波を遮蔽するシールド部材と、を有することを特徴とする操作装置。
【請求項７】
請求項１から請求項６のいずれか一項に記載の操作装置において、
前記処理基板は、外部と無線により通信可能な処理基板側通信回路を有することを特徴とする操作装置。
【請求項８】
請求項１から請求項７のいずれか一項に記載の操作装置において、
入力操作を受け付ける第２入力部を有し、前記第２入力部に対する入力操作に応じた第２操作信号を出力する第２操作部を備え、
前記第２操作部は、前記本体部の他端側に設けられ、
前記処理基板は、前記第２操作部と接続される第３接続部を有し、前記第３接続部を介して前記第２操作部から入力される前記第２操作信号を処理して前記制御基板に出力することを特徴とする操作装置。
【請求項９】
請求項１から請求項８のいずれか一項に記載の操作装置において、
前記第１操作部は、前記第１操作信号を出力する出力基板を有し、
前記制御基板は、前記出力基板が接続されるコネクターを、前記第１接続部として有することを特徴とする操作装置。
【請求項１０】
請求項１から請求項９のいずれか一項に記載の操作装置において、
前記本体部は、表示部を有し、
前記制御基板は、前記表示部の動作を制御することを特徴とする操作装置。
【発明の詳細な説明】
【技術分野】
【０００１】
本発明は、操作装置に関する。
【背景技術】
【０００２】
従来、ＰＣ（Personal Computer）やゲーム装置等の情報処理装置に接続され、当該情報処理装置に操作信号を送信する操作装置が知られている（例えば、特許文献１参照）。
この特許文献１に記載のコントローラー（操作装置）は、使用者の左右の手で把持される左側把持部及び右側把持部と、当該コントローラーの正面に配設された方向ボタン及び操作ボタンとを有する。このうち、方向ボタンは、左側把持部が左手で把持された際の親指に対応する位置に配設され、操作ボタンは、右側把持部が右手で把持された際の親指に対応する位置に配設されている。更に、当該コントローラーは、方向ボタン及び操作ボタンが配設される領域の間に２つのアナログスティックが設けられている。
【先行技術文献】
【特許文献】
【０００３】
【特許文献１】米国特許出願公開第２００９／０１３１１７１号明細書
【発明の概要】
【発明が解決しようとする課題】
【０００４】
ところで、上記特許文献１に記載のコントローラーのように、従来の操作装置では、コントローラーを制御する制御用ＩＣ（Integrated Circuit）と、上記ボタン等の入力部から入力される操作信号を処理する処理用ＩＣとが、同一の回路基板上に設けられている。
このような構成の場合、入力部の構成を変更せずに、コントローラーの仕様を変更しようとすると、各ＩＣが配設される回路基板を再設計する必要が生じるという問題がある。
【０００５】
本発明は、上記課題の少なくとも一部を解決することを目的としたものであり、設計を簡略化できる操作装置を提供することを目的の１つとする。
【課題を解決するための手段】
【０００６】
本発明の一態様に係る操作装置は、本体部と、入力操作を受け付ける第１入力部を有し、前記第１入力部に対する入力操作に応じた第１操作信号を出力する第１操作部と、を備え、前記第１操作部は、前記本体部の一端側に設けられ、前記本体部は、前記本体部の動作を制御する制御基板と、前記制御基板とは別体として構成され、前記制御基板に対して前記第１操作部とは反対側に位置し、前記第１操作信号を処理して前記制御基板に出力する処理基板と、を有し、前記制御基板は、前記第１操作部と接続される第１接続部と、前記処理基板と接続される第２接続部と、前記制御基板に形成され、前記第１接続部と前記第２接続部とを接続し、前記第１接続部を介して前記第１操作部から入力される前記第１操作信号を、前記第２接続部を介して前記処理基板に伝送する信号伝送ラインと、を有することを特徴とする。
【０００７】
上記一態様によれば、制御基板と処理基板とがそれぞれ別体として構成されていることにより、制御基板及び処理基板のそれぞれを個別に設計できる。このため、例えば第１操作部の構成を変更せずに、操作装置の仕様を変更する場合に、処理基板を変更せずに、制御基板の設計を変更することにより、操作装置の設計変更に関する時間を短縮できる。従って、操作装置の設計を簡略化できる。
【０００８】
上記一態様では、前記第１操作部は、前記本体部の一端側に設けられ、前記処理基板は、前記制御基板に対して前記第１操作部とは反対側に位置し、前記制御基板は、前記第１操作部と接続される第１接続部と、前記処理基板と接続される第２接続部と、前記制御基板に形成され、前記第１接続部と前記第２接続部とを接続し、前記第１接続部を介して前記第１操作部から入力される前記第１操作信号を、前記第２接続部を介して前記処理基板に伝送する信号伝送ラインと、を有することが好ましい。
【０００９】
なお、制御基板としては、板状のプリント基板や、フィルム状のプリント基板（フレキシブルプリント基板）を例示できる。また、ラインは、プリント基板に導電体により形成される伝送路を示す。
ここで、第１操作部と処理基板との間に制御基板が位置する場合、当該第１操作部と処理基板とをケーブル等のハーネスにより接続すると、当該ハーネスが制御基板の構成に悪影響を及ぼすことがある。例えば、無線にて外部と通信可能なモジュールが配置されている場合には、当該ハーネスがアンテナとして機能してしまい、当該モジュールの性能が低下する可能性がある他、ハーネスから電磁波が出力されて、制御基板に実装された集積回路の性能が低下する可能性がある。
これに対し、制御基板は、上記第１接続部、上記第２接続部及び上記信号伝送ラインを有する。これによれば、第１接続部を介して第１操作部から制御基板に入力された第１操作信号は、制御基板の信号伝送ラインを通り、第２接続部を介して処理基板に伝送される。これにより、第１操作部と処理基板とが離れている場合でも、ハーネスを用いることなく、第１操作部から処理基板に第１操作信号を伝送できる。従って、制御基板の性能が低下することを抑制しつつ、確実に第１操作信号を処理基板に伝送できる。
【００１０】
上記一態様では、前記制御基板は、前記信号伝送ラインを挟むグランドラインを有することが好ましい。
このような構成によれば、信号伝送ラインにより第１操作信号が伝送される際に、外部からの電磁波によって当該第１操作信号が乱れることを抑制できる他、当該信号伝送ラインを第１操作信号が通ることによって制御基板の外部に電磁波が放出されることを抑制できる。従って、操作装置の信頼性を向上させることができる。
上記一態様では、前記制御基板は、多層のプリント基板であり、前記グランドラインは、前記制御基板において前記信号伝送ラインと同じ層に位置することが好ましい。
【００１１】
上記一態様では、前記制御基板は、多層のプリント基板であり、前記信号伝送ラインは、前記プリント基板の内層に形成されていることが好ましい。
このような構成によれば、外部からの電磁波によって、信号伝送ラインを通る第１操作信号が乱れることを確実に抑制できる他、外部への電磁波の漏出を確実に抑制できる。従って、操作装置の信頼性を一層向上させることができる。
【００１２】
上記一態様では、前記制御基板は、前記制御基板の表層に取り付けられ、前記信号伝送ラインを覆うシールドケースを有することが好ましい。
なお、表層とは、表面をなす層であり、表裏の層のうち、表側の層に限らない。
このような構成によれば、シールドケースによって電磁波を遮蔽できるので、外部から信号伝送ラインに電磁波が入射されて第１操作信号が乱れることを抑制できる他、信号伝送ラインから制御基板の外部に電磁波が漏出することを抑制できる。更に、シールドケースによって覆われる部位に回路素子が配設されている場合に、当該回路素子にて生じた電磁波が外部に漏出することを抑制できる。従って、制御基板及び処理基板の性能が低下することを抑制でき、操作装置の信頼性を一層向上させることができる。
【００１３】
上記一態様では、前記制御基板は、外部と無線により通信可能な制御基板側通信回路と、前記制御基板側通信回路を覆って電磁波を遮蔽するシールド部材と、を有することが好ましい。
なお、通信回路としては、携帯電話網を利用するＬＴＥ（Long Term Evolution）等の通信規格、ＩＥＥＥ８０２．１１等の無線ＬＡＮ（Local Area Network）通信規格、及び、Bluetooth（登録商標）等の近距離無線通信規格等の通信規格に準拠した無線通信回路が挙げられる。
上記構成によれば、制御基板に設けられる制御基板側通信回路は、電磁波を遮蔽するシールド部材によって覆われる。これによれば、当該通信回路に外部からの電磁波が悪影響を及ぼすことを抑制できる他、通信回路の外部に電磁波が漏出して、制御基板の他の構成や処理基板、更には外部機器に悪影響を及ぼすことを抑制できる。従って、通信回路、ひいては、操作装置が安定して外部と通信できる。
【００１４】
上記一態様では、前記処理基板は、外部と無線により通信可能な処理基板側通信回路を有することが好ましい。
このような構成によれば、制御基板を用いずに、処理基板の通信回路のみで外部機器と無線にて通信可能となる。このため、第１操作部に対する入力操作に応じた第１操作信号を外部機器に送信する場合に、制御基板での処理を省略でき、消費電力を低減できる。また、例えば制御基板が、通信回路を有する場合には、処理基板と制御基板とを無線にて通信接続させて、信号を送受信可能に構成することも可能となる。更に、処理基板の通信回路が、他の操作装置から操作信号を受信して処理することも可能となる。従って、操作装置の汎用性を向上させることができる。
【００１５】
上記一態様では、入力操作を受け付ける第２入力部を有し、前記第２入力部に対する入力操作に応じた第２操作信号を出力する第２操作部を備え、前記第２操作部は、前記本体部の他端側に設けられ、前記処理基板は、前記第２操作部と接続される第３接続部を有し、前記第３接続部を介して前記第２操作部から入力される前記第２操作信号を処理して前記制御基板に出力することが好ましい。
このような構成によれば、例えば、左右の手により第１操作部及び第２操作部に対する入力操作を実施できるので、操作装置の汎用性を向上させることができる他、操作装置に対して複雑な入力操作を実施できる。
また、第１操作部を制御基板に接続して、当該第１操作部から入力される第１操作信号を信号伝送ラインを介して処理基板に伝送させ、第２操作部を処理基板に接続して、当該第２操作部から出力される第２操作信号を処理基板に直接入力させることができる。従って、構成を複雑化させることなく、本体部の一端側に設けられた第１操作部及び他端側に設けられた第２操作部から処理基板に第１操作信号及び第２操作信号を伝送できる。
【００１６】
上記一態様では、前記第１操作部は、前記第１操作信号を出力する出力基板を有し、前記制御基板は、前記出力基板が接続されるコネクターを、前記第１接続部として有することが好ましい。
このような構成によれば、制御基板から第１操作部を分離可能に構成できる。従って、使用者が把持しやすい形状を有する第１操作部や、第１入力部の構成及び配置の少なくともいずれかが異なる第１操作部を、本体部に取り付けることができる。従って、操作装置の汎用性を一層向上させることができる。
【００１７】
上記一態様では、前記本体部は、表示部を有し、前記制御基板は、前記表示部の動作を制御することが好ましい。
このような構成によれば、例えばＯＳ（Operating System）やゲーム等のアプリケーションの実行時画面を表示部に表示させることにより、操作装置を独立して使用可能な情報処理装置として構成できる。また、外部機器に操作信号を送信して当該外部機器を操作する場合でも、外部機器による処理結果を表示部に表示する等して、操作装置による外部機器の操作を実施しやすくすることができる。従って、操作装置の汎用性をより一層高めることができる。
【発明の効果】
【００１８】
本発明によれば、制御基板及び処理基板をそれぞれ個別に設計できるので、操作装置の設計を簡略化できる。
【図面の簡単な説明】
【００１９】
【図１】本発明の一実施形態における情報処理装置の構成を示す斜視図。
【図２】上記実施形態における情報処理装置を示す正面図。
【図３】上記実施形態における情報処理装置を示す背面図。
【図４】上記実施形態における情報処理装置を示す上面図。
【図５】上記実施形態における情報処理装置を示す下面図。
【図６】上記実施形態における情報処理装置の内部構造を示す図。
【図７】上記実施形態における情報処理装置の内部構造を示す図。
【図８】上記実施形態におけるプリント基板に形成された信号伝送ライン及びグランドラインを示す模式図。
【発明を実施するための形態】
【００２０】
以下、本発明の一実施形態について、図面に基づいて説明する。
［情報処理装置の概略構成］
図１は、本実施形態に係る情報処理装置１を示す斜視図である。また、図２は、当該情報処理装置１を示す正面図であり、図３は、当該情報処理装置１を示す背面図である。
本実施形態に係る情報処理装置１は、入力操作に応じた操作情報を外部機器に送信する機能を有する他、ゲーム等のアプリケーションを独立して実行する機能を有する。すなわち、情報処理装置１は、本発明の操作装置として機能する。
このような情報処理装置１は、図１〜図３に示すように、本体部２と、当該本体部２の右側及び左側に接続された右側操作部３及び左側操作部４と、を有し、これら本体部２及び操作部３，４は、互いに一体化されている。
そして、詳しくは後述するが、情報処理装置１は、当該情報処理装置１の動作を制御するメイン基板２８（図６〜図８参照）と、各操作部３，４から入力される操作信号を処理するサブ基板２９（図６〜図８参照）とが、それぞれ別体として構成されていることを特徴の１つとして有する。また、情報処理装置１は、当該メイン基板２８に左側操作部４から入力される操作信号をサブ基板２９に伝送する信号伝送ライン（図８参照）が形成されていることを特徴の１つとする。
【００２１】
以下、情報処理装置１の各構成について詳述する。
なお、以下の説明では、左側操作部４が左側に位置するように情報処理装置１を正面視した際に、当該左側操作部４から右側操作部３に向かう方向を＋Ｘ方向とし、当該＋Ｘ方向に対する直交方向のうち、情報処理装置１の正面に沿って上側に向かう方向を＋Ｙ方向とする。また、情報処理装置１の奥行き方向、すなわち、＋Ｘ方向及び＋Ｙ方向のそれぞれに直交し、かつ、正面側から背面側に向かう方向を＋Ｚ方向とする。更に、図示を省略するが、＋Ｘ方向とは反対方向を−Ｘ方向とする。−Ｙ方向及び−Ｚ方向も同様である。
【００２２】
［本体部の構成］
本体部２は、図１及び図２に示すように、表示部２１、音声出力部２２及び制御部２３（図６参照）と、これらを収納する筐体２４と、を有する。なお、制御部２３の構成については、後に詳述する。
これらのうち、音声出力部２２は、スピーカー等を備えて構成され、後述する制御部２３から入力される音声信号に応じた音声を当該スピーカーにより出力する。
【００２３】
表示部２１は、制御部２３から入力される画像信号に応じた画像を表示する。このような表示部２１として、液晶及び有機ＥＬ（Electro-Luminescence）等の各種表示パネルが例示される。この表示部２１の表示面２１Ａの全面には、タッチパネルＴＰが設けられ、これにより、表示部２１は、タッチスクリーンとしての機能を有する。このタッチパネルＴＰは、入力操作に応じた操作信号を制御部２３に出力する。このようなタッチパネルＴＰは、後述するボタンＢ１〜Ｂ５及び操作部３，４とともに、情報処理装置１の操作手段を構成する。
【００２４】
ここで、表示部２１は、本体部２における正面の略全てを構成する程度のサイズを有する。このため、使用者が右側操作部３及び左側操作部４を把持した場合に、右手の親指が、表示部２１上に設けられたタッチパネルＴＰにおける＋Ｘ方向側の領域に対して入力操作を実施でき、左手の親指が、当該タッチパネルＴＰにおける−Ｘ方向側の領域に対して入力操作を実施できる。
【００２５】
本実施形態では、情報処理装置１（制御部２３）が所定のアプリケーションを実行する場合には、タッチパネルＴＰの略全面に対する入力操作はキャンセルされる。しかしながら、当該アプリケーションの実行時には、図２に示すように、タッチパネルＴＰにおいて±Ｘ方向の両端で＋Ｙ方向における略中央に、仮想ボタン領域ＡＲ（＋Ｘ方向側の領域をＡＲＲとし、−Ｘ方向側の領域をＡＲＬとする）が設定される。すなわち、上記アプリケーションが実行される場合には、タッチパネルＴＰの操作面において仮想ボタン領域ＡＲ以外の領域に対する入力操作に応じた操作信号は、後述するサブ基板２９により無効化される。
これら仮想ボタン領域ＡＲに対するタップ操作は、サブ基板２９によって、当該仮想ボタン領域ＡＲに当て嵌められた仮想ボタンを１度押圧（入力）する操作に変換される。一方、仮想ボタン領域ＡＲに対するダブルタップ操作は、サブ基板２９によって、当該仮想ボタンを押込む操作に変換される。
【００２６】
筐体２４は、表示部２１を支持するとともに、音声出力部２２及び制御部２３等を内部に収納する合成樹脂製の筐体である。この筐体２４は、正面側から見て表示部２１を囲み、かつ、表示部２１の裏面を覆う略直方体形状の筐体本体２５と、当該筐体本体２５から延出する右側延出部２６及び左側延出部２７と、が一体的に形成された構成を有する。
【００２７】
これらのうち、右側延出部２６は、筐体本体２５における＋Ｘ方向側の端縁（後述する右側面部２５Ｒ）の略中央から＋Ｘ方向に延出する腕部２６１と、当該腕部２６１の先端に接続され、ＸＹ平面に沿って腕部２６１より拡大された平面視略長円形状を有する配置部２６２と、を有する。この右側延出部２６は、後述する右側操作部３の一部を構成し、配置部２６２には、後述するアナログコントローラーＢＣ１及びボタンＢＣ２〜ＢＣ５が配設される。
左側延出部２７も、右側延出部２６と同様に、筐体本体２５における−Ｘ方向側の端縁（後述する左側面部２５Ｌ）の略中央から−Ｘ方向に延出する腕部２７１と、当該腕部２７１の先端に接続され、ＸＹ平面に沿って腕部２７１より拡大された配置部２７２と、を有する。この左側延出部２７は、後述する左側操作部４の一部を構成し、配置部２７２には、後述するアナログコントローラーＢＣ１及びボタンＢＣ３〜ＢＣ６が配設される。
【００２８】
筐体本体２５は、正面部２５Ｆ、背面部２５Ｂ、上面部２５Ｕ、下面部２５Ｄ、左側面部２５Ｌ及び右側面部２５Ｒを有する。
正面部２５Ｆには、表示部２１の左右に、上記操作手段を構成するボタンＢ１，Ｂ２が配設されている他、内部に設けられた音声出力部２２のスピーカーからの音声を外部に出力する開口部２５Ｆ１，２５Ｆ２が形成されている。
なお、上記のように、右側面部２５Ｒの略中央から上記右側延出部２６が延出しており、左側面部２５Ｌの略中央から上記左側延出部２７が延出している。
【００２９】
図４は、情報処理装置１を示す上面図である。
上面部２５Ｕにおける−Ｘ方向側には、図４に示すように、情報処理装置１の電源を投入する電源ボタンＢ３と、それぞれ電源の入力状態及び外部との通信状態を示すＬＥＤ（Light Emitting Diode）２５Ｕ１，２５Ｕ２と、が配設されている。また、上面部２５Ｕにおける＋Ｘ方向側には、音量調整用の一対の音量ボタンＢ４，Ｂ５が配設されている。更に、上面部２５Ｕにおける略中央には、外部機器との接続用ケーブル（例えば画像ケーブルであるＨＤＭＩ（登録商標。High-Definition Multimedia Interface）ケーブル）が接続可能な端子２５Ｕ３が露出されている他、当該端子２５Ｕ３を挟むようにスロットＳＬ１，ＳＬ２が露出されている。これらスロットＳＬ１，ＳＬ２は、ＳＩＭ（Subscriber Identity Module）等の通信接続用カードが挿入されるスロットであるが、半導体メモリーカードが挿入されるスロットとしてもよい。なお、ボタンＢ３〜Ｂ５も上記操作手段を構成する。
【００３０】
図５は、情報処理装置１を示す下面図である。
下面部２５Ｄの略中央には、図５に示すように、上記接続用ケーブルとは異なる仕様のケーブル（例えばＵＳＢ（Universal Serial Bus）ケーブル）が接続可能な端子２５Ｄ１が露出されている。また、下面部２５Ｄにおいて端子２５Ｄ１の右側には、ヘッドホンジャックを接続可能な端子２５Ｄ２が露出されている。
【００３１】
［操作部の構成］
右側操作部３及び左側操作部４は、図１〜５に示すように、それぞれ筐体本体２５の右側（＋Ｘ方向側）及び左側（−Ｘ方向側）に位置する右側延出部２６及び左側延出部２７を含んで構成され、上記本体部２と一体化されている。これら操作部３，４は、使用者の入力操作に応じた操作信号を、制御部２３に出力する。
【００３２】
［右側操作部の構成］
右側操作部３は、図１〜図５に示すように、＋Ｙ方向側に位置する略角柱形状と、−Ｙ方向側に向かうに従って厚さ寸法が小さくなる略錐形状とを組み合わせた形状に形成された筐体３１を備える。この筐体３１は、上記右側延出部２６と、当該右側延出部２６と接続されて、右側操作部３における外装を構成する外装構成部３２と、を有する。
右側延出部２６は、筐体３１において正面部３１１と、上面部３１３、左側面部３１４及び右側面部３１５のそれぞれにおける−Ｚ方向側の一部とを構成する。
外装構成部３２は、筐体３１において背面部３１２と、上面部３１３、左側面部３１４及び右側面部３１５のそれぞれにおける＋Ｚ方向側の一部とを構成する。この外装構成部３２における−Ｙ方向側の部位、すなわち、当該外装構成部３２における略錐形状部分は、使用者の右手（薬指、小指及び拇指球）により把持される把持部ＧＰＲであり、当該把持部ＧＰＲが右手により把持された際には、筐体３１の右側面部３１５には、右手の掌が接触する。
【００３３】
正面部３１１には、図１及び図２に示すように、アナログコントローラーＢＣ１及び複数のボタンＢＣ２，ＢＣ３が配設されている。
具体的に、アナログコントローラーＢＣ１は、右側延出部２６における腕部２６１と配置部２６２とに跨って配置されている。このアナログコントローラーＢＣ１は、−Ｚ方向に起立する操作子ＢＣ１１が傾倒可能に構成され、当該アナログコントローラーＢＣ１は、操作子ＢＣ１１の傾倒方向及び傾倒量、或いは、座標を示す操作信号を出力する。
ボタンＢＣ２は、配置部２６２においてアナログコントローラーＢＣ１より＋Ｙ方向側の位置に４つ設けられている。これらボタンＢＣ２の配置位置は、右側操作部３が右手によって把持された際に、当該右手の親指に応じた領域内で、かつ、菱形の頂点に応じた位置にそれぞれ配置されている。
ボタンＢＣ３は、配置部２６２においてボタンＢＣ２より＋Ｙ方向側で、かつ、−Ｘ方向側の位置に配置されている。
【００３４】
上面部３１３には、図４に示すように、ボタンＢＣ４，ＢＣ５が＋Ｚ方向に沿って直列に配置されている。なお、ボタンＢＣ４に対して＋Ｚ方向側に位置するボタンＢＣ５は、−Ｚ方向側の端縁に設定された＋Ｘ方向に沿う回動軸を中心として回動可能に構成されたトリガー様に構成されている。
これらアナログコントローラーＢＣ１及びボタンＢＣ２〜ＢＣ５は、右側操作部３が有する入力部である。
【００３５】
［左側操作部の構成］
左側操作部４は、図１〜図５に示すように、上記ボタンＢＣ２に代えて方向ボタンＢＣ６を有する他は、右側操作部３と対称構造を有する。具体的に、左側操作部４と右側操作部３とは、方向ボタンＢＣ６と４つのボタンＢＣ２との違いを除いて、本体部２の中央を通り、かつ、＋Ｙ方向に沿う中心線を中心とする対称構造を有する。
【００３６】
この左側操作部４は、図１〜図３に示すように、＋Ｙ方向側に位置する略角柱形状と、−Ｙ方向側に向かうに従って厚さ寸法が小さくなる略錐形状とを組み合わせた形状に形成された筐体４１を備える。このような筐体４１は、左側延出部２７と、当該左側延出部２７に接続される外装構成部４２と、を備えて構成されている。
左側延出部２７は、筐体４１における正面部４１１と、上面部４１３、左側面部４１４及び右側面部４１５のそれぞれにおける−Ｚ方向側の一部を構成する。
外装構成部４２は、筐体４１における背面部４１２と、上面部４１３、左側面部４１４及び右側面部４１５のそれぞれにおける＋Ｚ方向側の一部を構成する。なお、外装構成部４２における−Ｙ方向側の部位、すなわち、当該外装構成部４２における略錐形状部分は、使用者の左手（薬指、小指及び拇指球）により把持される把持部ＧＰＬであり、当該把持部ＧＰＬが左手により把持された際には、筐体４１の左側面部４１４には、左手の掌が接触する。
【００３７】
正面部４１１には、図１及び図２に示すように、上記アナログコントローラーＢＣ１が上記腕部２７１と配置部２７２とに跨って配置されている他、＋Ｙ方向側の位置に、４つのキートップを有する方向ボタンＢＣ６とボタンＢＣ３とが配設されている。
上面部４１３には、図４に示すように、＋Ｚ方向に沿って上記ボタンＢＣ４，ＢＣ５が直列に配設されている。
これらアナログコントローラーＢＣ１及びボタンＢＣ３〜ＢＣ６は、左側操作部４が有する入力部である。
【００３８】
［各操作部と本体部との間の隙間］
上記のように、右側操作部３の一部を構成する右側延出部２６と、左側操作部４の一部を構成する左側延出部２７とは、本体部２の筐体本体２５と一体化されている。
これらのうち、右側操作部３の左側面部３１４と筐体本体２５の右側面部２５Ｒとの間で、かつ、本体部２及び右側操作部３を接続する接続部としての腕部２６１に対する＋Ｙ方向側及び−Ｙ方向側には、図２及び図３に示すように、隙間Ｇ１が形成されている。また、左側操作部４の右側面部４１５と筐体本体２５の左側面部２５Ｌとの間で、かつ、本体部２及び左側操作部４を接続する接続部としての腕部２７１に対する＋Ｙ方向側及び−Ｙ方向側には、隙間Ｇ２が形成されている。
【００３９】
特に、＋Ｙ方向及び−Ｙ方向のうち、腕部２６１に対して把持部ＧＰＲを把持した右手の指（薬指又は小指）の先端が位置する−Ｙ方向側に隙間Ｇ１が形成され、腕部２７１に対して把持部ＧＰＬを把持した左手の指（薬指又は小指）の先端が位置する−Ｙ方向側に隙間Ｇ２が形成されている。
これら隙間Ｇ１，Ｇ２が形成されていることにより、使用者に各操作部３，４を把持することを意識させやすくすることができる。この他、使用者の上記指を上記隙間Ｇ１，Ｇ２に入り込ませることにより、右手にて右側操作部３を、左手にて左側操作部４を把持しやすくすることができる。
【００４０】
［操作部の内部構成］
図６及び図７は、情報処理装置１の内部構造を示す図である。これらのうち、図６は、当該内部構成を正面側（−Ｚ方向側）から見た図であり、図７は、当該内部構成を背面側（＋Ｚ方向側）から見た図である。なお、図６及び図７においては、表示部２１等、情報処理装置１の一部の構成の図示を省略している。
上記右側操作部３の筐体３１の内部には、図６及び図７に示すように、入力部を構成するアナログコントローラーＢＣ１及びボタンＢＣ２〜ＢＣ５の入力操作に応じた操作信号を、制御部２３を構成するサブ基板２９に出力する信号出力基板３３が設けられている。
また、左側操作部４の筐体４１の内部には、入力部を構成するアナログコントローラーＢＣ１及びボタンＢＣ３〜ＢＣ６の入力操作に応じた操作信号を、制御部２３を構成するメイン基板２８に出力する信号出力基板４３が設けられている。そして、各操作部３，４のアナログコントローラーＢＣ１は、それぞれ、信号出力基板３３，４３に配設され、他のボタンＢＣ２〜ＢＣ６は、対応する信号出力基板３３，４３と接続されている。
【００４１】
信号出力基板３３，４３は、対応する基板２８，２９と接続可能なフレキシブルプリント基板ＦＰＣをそれぞれ有する。信号出力基板３３のフレキシブルプリント基板ＦＰＣは、後述するサブ基板２９のコネクター２９１と接続され、信号出力基板４３のフレキシブルプリント基板ＦＰＣは、後述するメイン基板２８のコネクター２８５と接続される。
なお、図示を省略するが、筐体３１，４１内には、後述する制御部２３による制御の下で駆動する振動発生用のモーターが、それぞれ配置されている。
【００４２】
［本体部の内部構成］
本体部２の筐体本体２５内には、上記のように、制御部２３が設けられている。この制御部２３は、情報処理装置１の動作を制御する。この制御部２３は、図６及び図７に示すように、メイン基板２８及びサブ基板２９を備えて構成されている。これらのうち、メイン基板２８は、本体部２の筐体２４（筐体本体２５）内において−Ｘ方向側に位置し、サブ基板２９は、＋Ｘ方向側に位置する。
なお、図示を省略するが、筐体本体２５内には、情報処理装置１の各構成に駆動電力を供給する二次電池等が設けられている。この他、筐体本体２５内には、半導体メモリー等により構成されるストレージや、半導体メモリーカードを装着可能なスロット（リーダーライター）が設けられている。このストレージや半導体メモリーカードには、ＯＳ（Operating System）やゲーム等のアプリケーションに関するプログラムが記憶される。
【００４３】
［サブ基板の構成］
サブ基板２９は、メイン基板２８のプリント基板２８０より小さなプリント基板２９０と、当該プリント基板２９０に実装された回路素子とにより構成され、右側操作部３及び左側操作部４から入力される操作信号により示される入力内容をメイン基板２８に出力する処理基板である。このサブ基板２９は、コネクター２９１，２９２と、ＩＣ２９３と、無線通信回路２９４と、を有する。
なお、本実施形態では、本体部２に設けられた各ボタンＢ１〜Ｂ５及びタッチパネルＴＰから入力される操作信号は、メイン基板２８に直接入力され、メイン基板２８は、当該操作信号に応じた処理を実行する構成としている。しかしながら、これに限らず、ボタンＢ１〜Ｂ５及びタッチパネルＴＰに対する入力操作に応じた操作信号も、サブ基板２９に入力される構成としてもよい。
【００４４】
コネクター２９１は、サブ基板２９において右側操作部３の配置側である＋Ｘ方向側の端縁近傍に設けられている。このコネクター２９１には、当該右側操作部３のフレキシブルプリント基板ＦＰＣが接続され、当該コネクター２９１を介して、右側操作部３から出力された操作信号がサブ基板２９に入力される。
コネクター２９２は、サブ基板２９においてメイン基板２８の配置側である−Ｘ方向側の端縁近傍に設けられた接続部である。このコネクター２９２には、一端がメイン基板２８と接続されるケーブルＣＡの他端が接続され、これにより、サブ基板２９とメイン基板２８とが有線により接続される。このコネクター２９２を介して、メイン基板２８に伝送された操作信号（例えば左側操作部４から入力される操作信号）がサブ基板２９に入力される。なお、コネクター２９２には、上記二次電池から供給される電力がメイン基板２８から供給され、これにより、サブ基板２９に駆動電力が供給され、更には、サブ基板２９を介して、右側操作部３に駆動電力（例えばモーターの駆動電力）が供給される。
【００４５】
ＩＣ２９３は、サブ基板２９に入力された信号（例えば操作信号）を処理する信号処理用のＩＣである。具体的に、ＩＣ２９３は、入力された信号をＡＤ変換し、所定の信号処理（例えば補正処理）を施した信号を、上記コネクター２９２を介してメイン基板２８に出力する。例えば、ＩＣ２９３は、アナログコントローラーＢＣ１に対する入力操作に応じて入力される操作信号に所定の補正処理を施した後、コネクター２９２を介して、当該操作信号をメイン基板２８に出力する。
無線通信回路２９４は、本発明の処理基板側通信回路に相当し、他の構成と無線により通信可能な回路である。この無線通信回路２９４は、本実施形態では、Ｂｌｕｅｔｏｏｔｈ（登録商標）等の近距離無線通信規格に準拠した通信方式にて、サブ基板２９とは異なる構成と情報を送受信する。
【００４６】
［メイン基板の構成］
メイン基板２８は、ＣＰＵ（Central Processing Unit）等の制御回路２８１と、当該制御回路２８１が実装される多層のプリント基板２８０と、を備えて構成される制御基板である。このメイン基板２８は、上記ＯＳ及び各種アプリケーションを実行し、サブ基板２９から入力される操作信号に基づいて、或いは、自律的に情報処理装置１の動作を制御する。
【００４７】
このようなメイン基板２８は、上記制御回路２８１の他、それぞれプリント基板２８０に実装される描画回路２８２、通信モジュール２８３，２８４、コネクター２８５，２８６、信号伝送ライン２８７、グランドライン２８８及びシールドケース２８９，２８Ａと、を有する。また、メイン基板２８には、上記スロットＳＬ１，ＳＬ２、端子２５Ｕ３及び端子２５Ｄ１，２５Ｄ２がそれぞれ設けられている。
この他、図示を省略するが、メイン基板２８には、上記二次電池及び上記ストレージとそれぞれ接続されるコネクターが配設されている。これらコネクターを介して、メイン基板２８に二次電池から電力が供給される他、メイン基板２８は、ストレージに対して情報の読取又は書込を行う。
【００４８】
制御回路２８１、描画回路２８２及び通信モジュール２８３，２８４は、プリント基板２８０の裏面２８０Ｂ側に配置され、当該プリント基板２８０に実装される。
制御回路２８１は、上記ストレージから読み出されるＯＳ等のプログラムを実行して、情報処理装置１全体の動作を制御する他、使用者による入力操作に応じてアプリケーションを実行する。例えば、制御回路２８１は、上記操作部３，４に設けられた振動子としてのモーターを駆動させる制御信号を、サブ基板２９を介して操作部３に出力し、操作部４に直接出力する。また、制御回路２８１は、描画回路２８２を制御して、表示部２１に表示される画像を生成させる等して、当該表示部２１の動作を制御する。
描画回路２８２は、例えばＧＰＵ（Graphics Processing Unit）により構成される。この描画回路２８２は、制御回路２８１の制御の下で動作して、ＯＳ及びアプリケーションの実行時画面等が画像を生成する。この描画回路２８２により描画された画像は、表示部２１に出力され、当該表示部２１により表示される。
【００４９】
通信モジュール２８３，２８４は、メイン基板２８に対する外部と無線にて通信可能なモジュールである。
これらのうち、第１通信モジュール２８３は、携帯電話網を利用する通信規格に準拠した通信方式にて外部と通信可能な通信モジュールであり、本実施形態では、ＬＴＥ（Long Term Evolution）に準拠した通信方式にて通信する。この第１通信モジュール２８３は、メイン基板２８にＢｔｏＢ（Board to Board）により接続される通信基板２８３１と、当該通信基板２８３１を覆うシールド部材２８３２と、を有する。
【００５０】
通信基板２８３１は、上記通信方式にて外部と通信する通信回路（制御基板側通信回路）及びアンテナが実装された構成を有する。この通信基板２８３１は、当該通信回路により受信された信号をデジタル変換した後、当該信号を制御回路２８１に出力する。また、通信基板２８３１は、制御回路２８１から入力される情報を、携帯電話網を介して送信対象に送信する。
シールド部材２８３２は、電磁波を遮蔽する。このシールド部材２８３２は、上記通信基板２８３１と一体化されており、メイン基板２８に設定されたグランドと接続されている。このシールド部材２８３２は、上記通信基板２８３１から放出される電磁波を遮蔽して当該電磁波の外部への漏出を抑制するとともに、外部から通信基板２８３１に向かう電磁波を遮蔽する。
【００５１】
第２通信モジュール２８４は、上記第１通信モジュール２８３に対して−Ｙ方向側に位置し、当該第１通信モジュール２８３とは異なる通信方式にて外部機器と通信するモジュールである。この第２通信モジュール２８４は、通信回路２８４１と、シールド部材２８４２と、を有する。
【００５２】
通信回路２８４１は、本発明の制御基板側通信回路の１つであり、本実施形態では、ＩＥＥＥ８０２．１１（例えばＩＥＥＥ８０２．１１ａ／ｂ／ｇ／ｎ／ａｃ）等の無線ＬＡＮ通信規格に準拠した通信方式、及び、近距離無線通信規格の一種であるBluetooth（登録商標）に準拠した通信方式のそれぞれにて外部と通信可能に構成されている。この通信回路２８４１は、上記通信基板２８３１と同様に、外部機器から受信された信号をデジタル変換した後、当該信号を制御回路２８１に出力する。また、通信回路２８４１は、制御回路２８１から入力される情報（例えば操作信号に基づく操作情報）を、送信対象に送信する。
シールド部材２８４２は、通信回路２８４１を覆うように、メイン基板２８に設定されたグランドと接続されるように当該メイン基板２８に固定される。このシールド部材２８４２も上記シールド部材２８３２と同様に、通信回路２８４１から放射される電磁波の外部への漏出を抑制するとともに、外部から通信回路２８４１に向かう電磁波を遮蔽する。
【００５３】
コネクター２８５は、図６に示すように、プリント基板２８０の表面２８０Ａ（−Ｚ方向側の面）における左側操作部４側である−Ｘ方向側の端縁近傍に設けられている。このコネクター２８５には、左側操作部４のフレキシブルプリント基板ＦＰＣが接続され、当該コネクター２８５を介して、メイン基板２８に左側操作部４から出力された操作信号が入力される。また、コネクター２８５は、例えば制御回路２８１により生成された左側操作部４のモーターを駆動させる制御信号を、当該左側操作部４のフレキシブルプリント基板ＦＰＣに出力する。
コネクター２８６は、図７に示すように、メイン基板２８においてサブ基板２９側である＋Ｘ方向側の端縁近傍に設けられた接続部である。このコネクター２８６には、上記ケーブルＣＡの一端が接続され、これにより、サブ基板２９とメイン基板２８とが有線により接続される。
【００５４】
図８は、プリント基板２８０に形成された信号伝送ライン２８７及びグランドライン２８８を示す模式図である。
信号伝送ライン２８７及びグランドライン２８８は、図８に示すように、メイン基板２８においてコネクター２８５とコネクター２８６とを結ぶライン（伝送路）であり、本実施形態では、プリント基板２８０における内層に形成されている。
信号伝送ライン２８７は、コネクター２８５，２８６間を接続するように形成され、当該コネクター２８５を介して左側操作部４のフレキシブルプリント基板ＦＰＣから入力された操作信号を、コネクター２８６に接続されたケーブルＣＡを介してサブ基板２９に伝送する。この信号伝送ライン２８７は、複数の伝送路により構成されており、コネクター２８６に入力された操作信号を当該複数の伝送路によりパラレルにて伝送する。しかしながら、これに限らず、信号伝送ライン２８７は、１つの伝送路により構成され、入力された操作信号をシリアルにて伝送する構成としてもよい。
【００５５】
グランドライン２８８は、上記信号伝送ライン２８７と同じ層に、当該信号伝送ライン２８７を挟むように一対形成されている。これらグランドライン２８８は、信号伝送ライン２８７によって伝送される操作信号に、外部の電磁波が悪影響を及ぼして、当該操作信号が乱れることを抑制する。
なお、本実施形態では、グランドライン２８８は、上記信号伝送ライン２８７と同じ層に形成されるとした。しかしながら、これに限らず、他の層においても、当該信号伝送ライン２８７と同じ層に形成されたグランドライン２８８と同じ位置にグランドラインを形成してもよい。この場合には、各層に形成されたグランドライン２８８により、信号伝送ライン２８７を囲むことができるので、上記操作信号の乱れをより確実に抑制できる。
【００５６】
シールドケース２８９，２８Ａは、電磁波を遮蔽する板金であり、それぞれの一部は、プリント基板２８０に設定されたグランドに接続されている。
これらのうち、シールドケース２８９は、図６に示すように、表面２８０Ａにおいて上記制御回路２８１及び描画回路２８２の配置位置を覆うように取り付けられる。このシールドケース２８９によって覆われるプリント基板２８０の領域には、上記信号伝送ライン２８７及びグランドライン２８８の少なくとも一部が位置している。
【００５７】
シールドケース２８Ａは、図７に示すように、裏面２８０Ｂにおいて上記制御回路２８１及び描画回路２８２のケーシングを覆うように取り付けられる。このシールドケース２８Ａによって覆われるプリント基板２８０の領域には、上記信号伝送ライン２８７及びグランドライン２８８の少なくとも一部が位置している。なお、シールドケース２８Ａは、上記通信モジュール２８３，２８４を避けて配置されている。
これらシールドケース２８９，２８Ａにより、制御回路２８１及び描画回路２８２に対する電磁波の影響を低減できるとともに、当該各回路２８１，２８２にて生じた電磁波の漏出を抑制できる。この他、各シールドケース２８９，２８Ａが、表面２８０Ａ及び裏面２８０Ｂにて信号伝送ライン２８７及びグランドライン２８８を覆うことにより、当該信号伝送ライン２８７により伝送される操作信号に電磁波による乱れが生じることを抑制できる。
【００５８】
［実施形態の効果］
以上説明した本実施形態に係る情報処理装置１によれば、以下の効果がある。
制御基板であるメイン基板２８と、処理基板であるサブ基板２９とは、それぞれ別体として構成されている。これによれば、メイン基板２８及びサブ基板２９のそれぞれを個別に設計できる。このため、例えば操作部３，４の構成を変更せずに、情報処理装置１の仕様を変更する場合に、サブ基板２９を変更せずに、メイン基板２８の設計を変更することにより、当該情報処理装置１の設計変更に関する時間を短縮できる。従って、操作装置として機能する情報処理装置１の設計を簡略化できる。
【００５９】
左側操作部４とサブ基板２９との間にはメイン基板２８が位置するため、当該左側操作部４とサブ基板２９とをケーブル等のハーネスにより接続すると、当該ハーネスがメイン基板２８の構成に悪影響を及ぼすことがある。例えば、ハーネスがアンテナとして機能してしまい、各通信モジュール２８３，２８４の性能が低下する可能性がある他、ハーネスから電磁波が出力されて、メイン基板２８に実装された集積回路の性能が低下する可能性がある。
これに対し、メイン基板２８は、左側操作部４から入力される操作信号を伝送する信号伝送ライン２８７を有し、メイン基板２８及びサブ基板２９は、コネクター２８６，２９２に接続されるケーブルＣＡを介して接続される。これによれば、左側操作部４からメイン基板２８に入力された操作信号は、信号伝送ライン２８７及びケーブルＣＡを通ってサブ基板２９に伝送される。これにより、左側操作部４とサブ基板２９とが離れている場合でも、ハーネスを用いることなく、当該左側操作部４からサブ基板２９に操作信号を伝送できる。従って、メイン基板２８の性能が低下することを抑制しつつ、確実に操作信号をサブ基板２９に伝送できる。
【００６０】
信号伝送ライン２８７を挟むグランドライン２８８により、当該信号伝送ライン２８７により操作信号が伝送される際に、外部からの電磁波によって当該操作信号が乱れることを抑制できる。この他、当該グランドライン２８８により、信号伝送ライン２８７を操作信号が通ることによってメイン基板２８の外部に電磁波が放出されることを抑制できる。従って、情報処理装置１の信頼性を向上させることができる。
【００６１】
メイン基板２８を構成するプリント基板２８０は、多層のプリント基板であり、信号伝送ライン２８７は、当該プリント基板２８０の内層に形成されている。これによれば、外部からの電磁波によって、信号伝送ライン２８７を通る操作信号が乱れることを確実に抑制できる他、外部への電磁波の漏出を確実に抑制できる。従って、情報処理装置１の信頼性を一層向上させることができる。
【００６２】
メイン基板２８は、当該メイン基板２８の表面２８０Ａ及び裏面２８０Ｂに取り付けられ、信号伝送ライン２８７を覆うシールドケース２８９，２８Ａを有する。これによれば、シールドケース２８９，２８Ａによって電磁波を遮蔽できるので、外部から信号伝送ライン２８７に電磁波が入射されて操作信号が乱れることを抑制できる他、信号伝送ライン２８７からメイン基板２８の外部に電磁波が漏出することを抑制できる。更に、シールドケース２８９，２８Ａによって制御回路２８１及び描画回路２８２が覆われるので、これら回路２８１，２８２にて生じた電磁波が外部に漏出することを抑制できる。従って、メイン基板２８及びサブ基板２９の性能が低下することを抑制でき、情報処理装置１の信頼性を一層向上させることができる。
【００６３】
メイン基板２８は、外部と無線により通信可能な通信回路を有する通信基板２８３１及びシールド部材２８３２を有する第１通信モジュール２８３と、当該第１通信モジュール２８３とは異なる通信方式にて外部と無線により通信可能な通信回路２８４１及びシールド部材２８４２を有する第２通信モジュール２８４と、を有する。これによれば、メイン基板２８に設けられる各通信回路は、電磁波を遮蔽するシールド部材２８３２，２８４２によって覆われる。これによれば、当該通信回路に外部からの電磁波が悪影響を及ぼすことを抑制できる他、通信回路の外部に電磁波が漏出して、メイン基板２８の他の構成やサブ基板２９、更には外部機器に悪影響を及ぼすことを抑制できる。従って、各通信モジュール２８３，２８４、ひいては、情報処理装置１が安定して外部と通信できる。
【００６４】
サブ基板２９は、外部と無線により通信可能な無線通信回路２９４を有する。これによれば、メイン基板２８を用いずに、当該無線通信回路２９４のみで外部機器と無線にて通信可能となる。このため、各操作部３，４に対する入力操作に応じた操作信号を外部機器に送信する場合に、メイン基板２８での処理を省略でき、消費電力を低減できる。また、例えば、無線通信回路２９４が上記第２通信モジュール２８４と通信することにより、サブ基板２９とメイン基板２８とを無線にて通信接続させて、信号を送受信可能に構成することも可能となる。更に、無線通信回路２９４が、他の操作装置から操作信号を受信して処理することも可能となる。従って、情報処理装置１の汎用性を更に向上させることができる。
【００６５】
右側操作部３及び左側操作部４は、本体部２の＋Ｘ方向側及び−Ｘ方向側のそれぞれに設けられている。これによれば、例えば、左右の手によりそれぞれの操作部３，４に対する入力操作を実施できるので、情報処理装置１の汎用性を向上させることができる他、情報処理装置１に対して複雑な入力操作を実施できる。
また、左側操作部４をメイン基板２８に接続して、当該左側操作部４から入力される操作信号を信号伝送ライン２８７を介してサブ基板２９に伝送させ、右側操作部３をサブ基板２９に接続して、当該右側操作部３から出力される操作信号をサブ基板２９に直接入力させることができる。従って、構成を複雑化させることなく、本体部２の一端側及び他端側のそれぞれに設けられた操作部３，４からサブ基板２９に操作信号を伝送できる。
【００６６】
右側操作部３及び左側操作部４は、操作信号を出力する出力基板である信号出力基板３３，４３を有する。また、メイン基板２８は、信号出力基板４３のフレキシブルプリント基板ＦＰＣが接続されるコネクター２８５を有し、サブ基板２９は、信号出力基板３３のフレキシブルプリント基板ＦＰＣが接続されるコネクター２９１を有する。これによれば、メイン基板２８及びサブ基板２９から各操作部３，４を分離可能に構成できる。従って、使用者が把持やすい形状を有する操作部や、入力部の構成及び配置の少なくともいずれかが異なる操作部を、本体部２に取り付けることができる。従って、情報処理装置１の汎用性を一層向上させることができる。
【００６７】
本体部２は、表示部２１を有し、メイン基板２８は、表示部２１の動作を制御する。これによれば、メイン基板２８が、実行されるＯＳ（Operating System）やゲーム等のアプリケーションの実行時画面を表示部２１に表示させることにより、情報処理装置１を、操作装置としてだけではなく、独立して使用可能な情報処理装置として構成できる。また、外部機器に操作信号を送信して当該外部機器を操作する場合でも、外部機器による処理結果を表示部２１に表示する等して、情報処理装置１による外部機器の操作を実施しやすくすることができる。従って、情報処理装置１の汎用性をより一層高めることができる。
【００６８】
［実施形態の変形］
本発明は、上記実施形態に限定されるものではなく、本発明の目的を達成できる範囲での変形、改良等は本発明に含まれるものである。
上記実施形態では、右側操作部３がサブ基板２９に接続され、左側操作部４がメイン基板２８に接続されるとした。しかしながら、本発明はこれに限らない。例えば、右側操作部３がメイン基板２８に接続され、左側操作部４がサブ基板２９に接続されてもよい。また、右側操作部３が第１サブ基板に接続され、左側操作部４が第２サブ基板に接続され、各サブ基板がメイン基板と接続される構成としてもよい。
【００６９】
上記実施形態では、メイン基板２８を構成するプリント基板２８０、及び、サブ基板２９のプリント基板２９０は、板状のプリント基板により構成されるとした。しかしながら、本発明はこれに限らない。すなわち、これらプリント基板２８０，２９０をフレキシブルプリント基板により構成してもよい。
また、信号伝送ライン２８７は、多層のプリント基板２８０の内層に形成されるとした。しかしながら、本発明はこれに限らない。例えば、信号伝送ライン２８７は、プリント基板２８０の表面２８０Ａ又は裏面２８０Ｂに形成されていてもよく、プリント基板２８０は、単層のプリント基板であってもよい。
【００７０】
上記実施形態では、プリント基板２８０には、信号伝送ライン２８７を挟むグランドライン２８８が形成されているとした。しかしながら、本発明はこれに限らない。例えば、このようなグランドライン２８８は、信号伝送ライン２８７に沿って形成されていればよく、当該信号伝送ライン２８７を挟むように一対形成されていなくてもよい。更に、グランドライン２８８は、信号伝送ライン２８７と同じ層に形成されるとしたが、他の層に形成されていてもよい。
【００７１】
上記実施形態では、メイン基板２８は、プリント基板２８０の表面２８０Ａ及び裏面２８０Ｂに制御回路２８１及び描画回路２８２を覆うように取り付けられるシールドケース２８９，２８Ａを有するとした。しかしながら、本発明はこれに限らない。例えば、シールドケース２８９，２８Ａは、信号伝送ライン２８７の少なくとも一部を覆うように取り付けられていればよく、制御回路２８１及び描画回路２８２の少なくとも一方を覆わなくてもよい。更に、このようなシールドケース２８９，２８Ａのうち、少なくともいずれかがなくてもよい。
【００７２】
上記実施形態では、メイン基板２８は、それぞれ異なる通信方式により外部と通信可能な通信モジュール２８３，２８４を有するとした。しかしながら、本発明はこれに限らない。すなわち、メイン基板２８は、通信モジュール２８３，２８４のうち一方のみを有する構成としてもよい。また、これら通信モジュール２８３，２８４のそれぞれが無くてもよい。一方、メイン基板２８が通信モジュール２８３，２８４の少なくともいずれかを有する場合でも、上記シールド部材２８３２，２８４２は無くてもよい。
また、サブ基板２９は、無線通信回路２９４を備えていなくてもよい。
【００７３】
上記実施形態では、情報処理装置１は、本体部２の＋Ｘ方向側に位置する右側操作部３と、当該本体部２の−Ｘ方向側に位置する左側操作部４とを有する構成とした。しかしながら、本発明はこれに限らない。すなわち、右側操作部３及び左側操作部４の一方のみを有する構成としてもよい。更に、各操作部３，４は、本体部２に対して着脱可能に構成されてもよい。この場合、操作部が、無線通信回路２９４又は第２通信モジュール２８４と無線にて通信可能な無線通信回路を有する構成としてもよい。
【００７４】
上記実施形態では、本体部２は表示部２１を有する構成とした。しかしながら、本発明はこれに限らない。すなわち、本体部２は、表示部２１を備えていなくてもよい。
また、本体部２と操作部３，４との間には隙間Ｇ１，Ｇ２が形成されているとした。しかしながら、本発明はこれに限らない。すなわち、本体部２及び各操作部３，４が隙間なく一体化されていてもよい。
【符号の説明】
【００７５】
１…情報処理装置（操作装置）、２…本体部、２１…表示部、３…右側操作部（操作部）、３３…信号出力基板（出力基板）、４…左側操作部（操作部）、４３…信号出力基板（出力基板）、２８…メイン基板（制御基板）、２８０…プリント基板、２８３１…通信基板（制御基板側通信回路）、２８３２…シールド部材、２８４１…通信回路（制御基板側通信回路）、２８４２…シールド部材、２８５…コネクター、２８６…コネクター（接続部）、２８７…信号伝送ライン、２８８…グランドライン、２８９，２８Ａ…シールドケース、２９…サブ基板（処理基板）、２９２…コネクター（接続部）、２９４…無線通信回路（処理基板側通信回路）。
【図１】
0006285900.tif 000002
【図２】
0006285900.tif 000003
【図３】
0006285900.tif 000004
【図４】
0006285900.tif 000005
【図５】
0006285900.tif 000006
【図６】
0006285900.tif 000007
【図７】
0006285900.tif 000008
【図８】
0006285900.tif 000009